(57)【要約】【課題】あらゆる材質・性状の幕に対して、ロープの脱落を防止できるとともに幕の弛みを確実に防止できるパーテーションの提供。【解決手段】枠体１と、枠体に張設した幕２を備え、枠体１は、幕２の縁部を呑み込む固定溝４を長手方向に有する枠材３と、固定溝４に挿入して幕２の縁部を固定するロープ５と、枠材３に係止固定して固定溝４の開口部を塞ぐカバー６とから成り、カバー６は幕２の押え部７を長手方向に有し、枠体１内周側の固定溝構成壁の先端部８とカバーの押え部７とで幕２を挟持していることを特徴とする。【選択図】　　　図１
2004076434.tif 000002
【特許請求の範囲】
【請求項１】
枠体と、枠体に張設した幕を備え、枠体は、幕の縁部を呑み込む固定溝を長手方向に有する枠材と、固定溝に挿入して幕の縁部を固定するロープと、枠材に係止固定して固定溝の開口部を塞ぐカバーとから成り、カバーは幕の押え部を長手方向に有し、枠体内周側の固定溝構成壁の先端部とカバーの押え部とで幕を挟持していることを特徴とするパーテーション。
【請求項２】
枠材は、枠体内周側の固定溝構成壁の先端に枠側曲面部を有し、カバーは、押え部に枠側曲面部に嵌る形状のカバー側曲面部を有し、枠側曲面部とカバー側曲面部とで幕を挟持していることを特徴とする請求項１記載のパーテーション。
【発明の詳細な説明】
【０００１】
【発明の属する技術分野】
本発明は、オフィスのデスク周り等に設置するパーテーションに関するものである。
【０００２】
【従来の技術】
オフィスでは、デスクとデスクの間にパーテーションを設置して、各人の作業空間を仕切ることが通常行われている。そのようなパーテーションの構成としては、特開平３−２３３０５２号のもののように、方形に組んだ枠体内にハニカム材等の芯材を組み込み、枠体内に幕を張設して芯材の表裏面を覆ったものがある。また、特開平１０−２０１５８８号のもののように、芯材がなく、枠体に幕を張っただけの簡易なものもある。幕の枠体への固定は、枠体を構成する枠材に固定溝を設け、その溝内に幕の縁部をロープとともに押し込んで係止させることにより行っている。
【０００３】
【発明が解決しようとする課題】
ロープを用いるこの構造は、昔から網戸に網を張る構造に用いられているもので、幕とこれを挟むロープ及び固定溝との間の摩擦力のみによって幕を固定しようとしている。網戸の網のように、厚さや硬さ、伸縮性、表面の滑り具合等がある程度決まったものであれば良いが、パーテーションの幕には、合成皮革のようなものから樹脂フィルムのようなものまで様々なものが用いられ、幕が厚く硬い素材であるとロープが溝から外れようとして上手く張ることができず、また薄く滑りの良い素材の場合には、張った後で幕が次第に弛んでくることがあった。特開平３−２３３０５２号のものは、枠材にカバーを取り付けてあって固定溝が隠れているので、ロープの脱落は防止できるかもしれないが、幕の弛みを防ぐことはできない。弛みを防止しようと幕をビス等で局部的に枠材に止めると、しわが発生してしまう。
【０００４】
本発明は、以上に述べたような実情に鑑みてなされたものであって、あらゆる材質・性状の幕に対して、ロープの脱落を防止できるとともに幕の弛みを確実に防止できるパーテーションの提供を目的とする。
【０００５】
【課題を解決するための手段】
上記の課題を達成するために、請求項１記載の発明によるパーテーションは、枠体と、枠体に張設した幕を備え、枠体は、幕の縁部を呑み込む固定溝を長手方向に有する枠材と、固定溝に挿入して幕の縁部を固定するロープと、枠材に係止固定して固定溝の開口部を塞ぐカバーとから成り、カバーは幕の押え部を長手方向に有し、枠体内周側の固定溝構成壁の先端部とカバーの押え部とで幕を挟持していることを特徴とする。
【０００６】
さらに請求項２記載の発明は、枠材は、枠体内周側の固定溝構成壁の先端に枠側曲面部を有し、カバーは、押え部に枠側曲面部に嵌る形状のカバー側曲面部を有し、枠側曲面部とカバー側曲面部とで幕を挟持していることを特徴とする。
【０００７】
【発明の実施の形態】
以下、本発明の実施の形態を図面に基づいて説明する。図２は、本発明のパーテーションの一実施形態を示す斜視図であり、図１は図２におけるＡ−Ａ断面図である。このパーテーションは、アルミ合金の押出し形材からなる四本の枠材３を方形に組んで枠体１を構成し、枠体に一枚の布製の幕２を張設したものである。
【０００８】
枠材３の形態を図１に即して述べると、枠材３は、内周側と中央部と外周側の３箇所に溝４，９，１０を設けて中空状にしてあり、内周側と中央部の溝４，９は開口部が嵌め込み式のカバー６によって塞がれている。内周側の溝４は、幕２の縁部を固定するための固定溝となっており、この固定溝４内に幕２の縁部をロープ５で押さえて呑み込ませ保持させてある。ロープ５は、ゴムや軟質プラスチックのような表面の摩擦が大で弾力性を有する材質で形成してあることが好ましい。枠体内周側の固定溝構成壁の先端部８は、固定溝の内側に向けて突出形成してあり、その先端でロープ５を固定溝から抜け出ないように押さえている。また、この固定溝構成壁の先端部の幕２が当る面をＲ状に湾曲した枠側曲面部１１ａとしてあり、尚且つ幕の出口側の角部をＲ状に面取りしてある。
【０００９】
カバー６は、枠材の中央部の溝９の突起１２，１２に裏面側の爪１３，１３を係止させて取り付けてある。枠材３のカバー６が当接する部分は、カバーの厚み分だけ段差１４を設けてあり、カバー６の表面は枠材３の表面と連続的な面を形成する。カバー６の枠体内周側の側縁部には、枠材の固定溝４の開口部を塞ぐような形で、幕の押え部７が枠材内部に延びている。押え部７には、枠側曲面部１１ａに嵌る形状のカバー側曲面部１１ｂを有しており、且つ幕２の出口側の角部はＲ状に面取りしてある。押え部７は、カバー６の剛性により枠材の固定溝構成壁の先端部８に向けて押し付けられ、枠側曲面部１１ａとカバー側曲面部１１ｂとで幕２を挟持し、幕２が弛むのを防止している。またこのように幕２を挟持することで、幕２の張力が挟持部分で殺されるので、ロープ５の抜け止めにもなる。枠材側とカバー側の幕を挟持する面は必ずしも曲面である必要はなく、平面やＬ字状の部分で挟持する形であっても良いが、本実施形態のように曲面部１１ａ，１１ｂで幕を挟持することによって、幕２との摩擦力が増大して幕２の弛みをより確実に防止でき、また幕２を傷付けないことから幕２が破れるのを防止できる。曲面部の形態は単なるＲ状のものに限らず、例えば一方に曲面で形成された凹溝を、他方にこれに嵌る凸条を有するものであっても良い。押え部の先端部１５は、万が一ロープ５が固定溝４から抜け出ようとした時にこれを押さえるためのロープの押え部であって、通常の状態ではロープ５と接触しない。このような構造となっているので、カバー６を外さない限りロープ５が固定溝４から抜け出ることはない。なおカバー６は、爪１３を係止させるとともに、さらにビスで枠材３に固定してもよい。
【００１０】
このように本パーテーションは簡易な構成となっており、図２に示すように、デスク１６の背面側や側面側に取付ブラケット１７によって取り付けて簡便に使用することができる。また、脚部を設けて床につい立てのように立たせて設置することもできる。枠材の外側に設けてある溝１０は、取付ブラケットや脚部、パーテーション同士を連結する場合のジョイント部材等の取付用の溝として利用することができる。幕２は布製のものに限らず、光を通すメッシュ状のネット、ビニールシート等、様々な素材のものを用いることができ、必要に応じて簡単に張り替えることができる。
【００１１】
【発明の効果】
本発明のパーテーションは、枠体を構成する枠材に、幕の固定溝の開口部を塞ぐカバーを係止固定してあり、カバーには幕の押え部を有しており、枠体内周側の固定溝構成壁の先端部とカバーの押え部とで幕を挟持しているので、幕の材質や厚み等によらず、ロープの脱落を防止して幕をきれいに張ることができ、尚且つ幕の弛みを確実に防止することができる。またカバーの押え部は、幕の周縁部を全長にわたって均等に押さえるので、しわが発生することがない。幕を張る際には従来通りの工具を使用することができ、幕の張り替えも容易に行うことができる。また、枠材にカバーを係止固定して固定溝の開口部を塞ぐことで、意匠性が向上する。
【００１２】
さらに請求項２に記載したように、枠側曲面部とカバー側曲面部とで幕を挟持した場合には、挟持面と幕との摩擦力が増大して幕が枠材にしっかりと固定されるため、幕の弛みをより確実に防止できる。また、幕を傷付けないことから幕が破れるのを防止できる。
【図面の簡単な説明】
【図１】図２におけるＡ−Ａ断面図である。
【図２】本発明のパーテーションの一実施形態を示す正面図である。
【符号の説明】
１　枠体
２　幕
３　枠材
４　固定溝
５　ロープ
６　カバー
７　押え部
８　固定溝構成壁の先端部
１１ａ　枠側曲面部
１１ｂ　カバー側曲面部
【図１】
2004076434.tif 000003
【図２】
2004076434.tif 000004